(57)【要約】      （修正有）【課題】赤ちゃんの衛生状態と健康状態を確保することができるベビーシッター用エプロンを提供する。【解決手段】ベビーシッター用エプロンは接続された上部本体１１と下部本体１２とを有する。上部本体１１と下部本体１２との接続は、境界線１３として形成される。防水層２にはオープンサイド２１と固定サイド２２とが対向して設けられ、オープンサイド２１が上部本体１１に移動可能に連結され、固定サイド２２が境界線１３に固定されている。掃除、モッピング、調理、または皿洗いなどに使用でき、赤ちゃんを抱えておく必要がある場合は、エプロン本体から防水層２を分離し、使用時の衛生と健康を確保するために、上半身を乾燥させて清潔にして赤ちゃんに接触させることができる。【選択図】図１
0003217400.tif 000002
【実用新案登録請求の範囲】
【請求項１】
一種のベビーシッター用エプロンであり、エプロン本体と、防水層とを含み、
前記エプロン本体は、上部本体と下部本体とを備え、前記上部本体と前記下部本体とが連結されており、前記上部本体と前記下部本体との連結部が境界線として形成され、
前記防水層には、オープンサイドと固定サイドが対向して設けられ、前記オープンサイドが前記上部本体に移動可能に連結され、前記固定サイドが前記境界線に固定されていることを特徴とするベビーシッター用エプロン。
【請求項２】
前記上部本体は柔軟性のある吸水性材料で作られていることを特徴とする、請求項１に記載のベビーシッター用エプロン。
【請求項３】
前記上部本体は、綿布、ベルベット布またはぬいぐるみ布で作られていることを特徴とする、請求項２に記載のベビーシッター用エプロン。
【請求項４】
前記防水層は防水素材であることを特徴とする、請求項１に記載のベビーシッター用エプロン。
【請求項５】
前記上部本体の両側には前記エプロン本体の背後部に向かって延びる肩ストラップがそれぞれ設けられ、２つの前記肩ストラップは、前記エプロン本体の背後部のストラップにそれぞれ接続されることを特徴とする、請求項１に記載のベビーシッター用エプロン。
【請求項６】
前記エプロン本体の上部両側には、それぞれ第１接合部が設けられ、また、前記２つの第１接合部に対して前記防水層の位置にそれぞれ第２接合部が設けられ、前記２つの第２接合部と前記２つの第１接合部とは、互いに連結されていることを特徴とする、請求項１に記載のベビーシッター用エプロン。
【請求項７】
前記２つの第１接合部および前記２つの第２接合部は、互いに結合された面ファスナーまたはボタンであることを特徴とする、請求項６に記載のベビーシッター用エプロン。
【請求項８】
ポケット層が設けられ、前記下部本体には少なくとも１つのポケットエリアが形成され、前記ポケット層は前記ポケットエリアに移動可能に固定されて開口を形成することを特徴とする、請求項１に記載のベビーシッター用エプロン。
【請求項９】
前記ポケットエリアの両側にそれぞれ第１固定部が設けられ、前記第１固定部に対応する前記ポケット層の位置に第２固定部がそれぞれ配置され、前記第２固定部は前記第１固定部とは互いに固定することを特徴とする、請求項８に記載のベビーシッター用エプロン。
【請求項１０】
前記第１固定部および前記第２固定部は、互いに固定された面ファスナーまたはボタンであることを特徴とする、請求項９に記載のベビーシッター用エプロン。
【請求項１１】
前記ポケット層は、吸水性材料でできていることを特徴とする、請求項８に記載のベビーシッター用エプロン。
【請求項１２】
前記防水層の表面は、前記表面層に接合されていることを特徴とする、請求項１に記載のベビーシッター用エプロン。
【請求項１３】
前記表面層と前記下部本体は同じ材料で作られていることを特徴とする請求項１２に記載のベビーシッター用エプロン。
【請求項１４】
前記表面層および前記下部本体の両方が同じ色であるか、または同じ一連のパターンを有することを特徴とする、請求項１２に記載のベビーシッター用エプロン。
【考案の詳細な説明】
【技術分野】
【０００１】
本考案は、ベビーシッター用エプロンに関し、エプロン本体から防水層を分離して又は接合することにより、職場や乳幼児の様々な時点で使用するためのエプロン構造に関する。
【背景技術】
【０００２】
現在、一般の産婦サービスセンター、幼稚園等のベビーシッターは、乳幼児の世話、清掃、調理等の複数の役割を担わなければならない。したがって、衣服の汚れや濡れを避けるために、エプロンを着用して、作業を容易にするのが普通である。
【０００３】
一般的なエプロン構造は、例えば、２０１３年９月２１日に台湾特許Ｍ４６２００８が発表した新しいタイプの防水エプロンが例であり、それは、前スカートシート、後スカートシートおよび防水スカートシートを含むことを開示する。防水スカートシートは、前スカートシートと後スカートシートの間に配置され、前スカートシートおよび後スカートシートと一体に縫い付けられる。前スカートシートまたは後スカートシートの上縁には、少なくとも1つのネックバンドが設けられ、前スカートシートまたは後スカートシートの両側にそれぞれウエストベルトが設けられる。防水スカートシートは、前スカートシートと後スカートシートとの間に配置され、前スカートシートの液体が後スカートシートに浸透しないように防水効果を発揮する。
【０００４】
上記特許では、前部エプロンスカートと背後部スカートシートとの間に防水スカートシートを配置して、前スカートシートからの水やスープなどの液体が後スカートシートに浸入することを防止し、使用者がエプロンを使用できるようにした。服に液体が漏れるのを心配しなくてよい。この特許は防水機能を備えているが、エプロンには水滴だけが残っている。赤ちゃんを抱えておくと、赤ちゃんを濡らし、赤ちゃんに不快感を与える原因となる。それを使うことには欠点がある。
【０００５】
以上のような問題を解決するために、業界は様々な解決技術案を次々と提案している。
【先行技術文献】
【特許文献】
【０００６】
【特許文献１】台湾特許Ｍ４６２００８号明細書
【特許文献２】台湾特許Ｍ３５１６２２号明細書
【０００７】
２００９年３月１日に台湾特許Ｍ３５１６２２号「交換可能な吸水性を有するエプロン構造」が開示されている。それは以下のことを含む：エプロン本体および交換可能な吸水性部材、エプロン本体の第１接合部を設けることにより、交換可能な吸水性部材がエプロン本体に着脱自在に結合される。また、吸水性部材の吸水性が高いため、エプロン構造上に飛散した水滴を吸収することができ、エプロン本体表面に水滴が落下して地面、靴、衣類に汚れが付着することを防止することができる。
【考案の概要】
【考案が解決しようとする課題】
【０００８】
上記特許の先行技術は、分離可能なタイプとして交換可能な吸水部を利用し、エプロン構造を清潔に保つ効果を得るために、しばしば取り外して洗浄することができる。しかし、一旦交換が必要な場合は、交換可能な吸水部を頻繁に交換する必要があり、無駄になるだけでなく、交換可能な吸水部を固定するのに時間がかかるので、使用には不向きである。
【課題を解決するための手段】
【０００９】
これまで、現在のエプロンの観点から、上記の欠点がある。したがって、本考案は、ベビーシッターのための一種のエプロンを提供する。
上記目的を達成するために、本考案のエプロンは、エプロン本体と防水層と、を含み、エプロン本体は互いに接続され上部本体と下部本体が設けられ、上部本体と下部本体とが互いに接続されて境界線を形成する。防水層はオープンサイドと固定サイドが対向して設けられ、オープンサイドは上部本体に移動可能に結合され、固定サイドは境界線に固定される。
【００１０】
上記上部本体は、柔軟性を有する吸水性材料からなる。
【００１１】
上記上部本体は、綿布、ベルベット布、ぬいぐるみ布できている。
【００１２】
上記防水層は防水材である。
【００１３】
上部本体の両側はそれぞれエプロン本体の背後部に向かって延びており、肩ストラップが設けられている。２つの肩ストラップはエプロン本体の背後部のストラップにそれぞれ接続されている。
【００１４】
上記エプロン本体には、その両側に第１接合部が設けられている。また、防水層には、２つの第１接合部に対応する位置に第２接合部が設けられ、２つの第２接合部は、２つの第１接合部にそれぞれ結合されている。
【００１５】
上記２つの第１接合部と２つの第２接合部は、互いに接合する面ファスナーまたはボタンである。
【００１６】
１つのポケット層が更に設けられる。下部本体は少なくとも１つのポケットエリアが形成され、ポケット層は、ポケットエリアに移動可能に固定され、開口部を形成する。
【００１７】
ポケットエリアの両側にはそれぞれ第１の固定部が設けられ、ポケット層には第１固定部に対応する位置に第２固定部が設けられている。第２固定部と第１固定部とは互いに固定されている。
【００１８】
第１固定部および第２固定部は、互いに固定された面ファスナーまたはボタンである。
【００１９】
上記ポケット層は、吸水材でできている。
【００２０】
上記防水層の表面は、表面層に結合されている。
【００２１】
表面層と下部本体とは、同じ材質でできている。
【００２２】
表面層と下部本体はすべて同じ色であるか、または同じ一連のパターンを有する。
【００２３】
上記の技術的特徴は以下の利点を有する。
【００２４】
掃除、モッピング、調理、または食器洗浄の際には、防水層を上部本体と組み合わせて、水が上半身に濡らされることを防止し、乾燥して清潔に保たれることができる。
【００２５】
防水層は上部本体分から取り外され、赤ちゃんを抱っこした後、赤ちゃんが柔らかくきれいな上部本体に置かれて快適になり、赤ちゃんの衛生状態と健康状態を確保することができる。
【００２６】
ポケット層やポケットエリアに吸収材を使用しているので、両手の水を吸収して、手を乾燥させて清潔に保つことができる。
【００２７】
可動式アセンブリ構造を使用し、容易に分解および分離して洗浄を容易にする。
【００２８】
表面層と下部本体は同じ材料で作られ、同じシリーズの同じ色またはパターンに設定され、一貫性と美的外観を有することができる。
【考案の効果】
【００２９】
本考案のベビーシッター用エプロンは掃除、モッピング、調理、または皿洗いなどに使用できる。赤ちゃんを抱えておく必要がある場合は、エプロン本体から防水層を分離するだけでよいので、使用時の衛生と健康を確保するために、上半身を乾燥させて清潔にして赤ちゃんに接触させることができる。
【図面の簡単な説明】
【００３０】
【図１】本考案の実施形態の正面斜視図である。
【図２】本考案の実施形態の背面斜視図である。
【図３】本考案の実施形態の組み立てられた概略図である。
【図４】本考案のユーザーに着用されている実施形態の正面図である。
【図５】本考案のユーザーに着用されている実施形態の背面図である。
【図６】本考案のユーザーに着用された後の清掃作業の実施形態の概略図である。
【図７】本考案のユーザーの手がポケット層に挿入された実施形態の概略図である。
【図８】本考案の防水層の上部本体から分離した後に赤ん坊を抱っこしている実施形態の模式図である。
【考案を実施するための形態】
【００３１】
図１、図２、図３を参照する。本考案のベビーシッター用エプロンはエプロン本体１と、防水層と、ポケット層３とを含む。
【００３２】
エプロン本体１は、互いに連結された上部本体１１と下部本体１２とを備えている。上部本体１１は、柔らかさを有する吸水性材料で作ることができる。上部本体１１は、綿布、ベルベット布またはぬいぐるみ布で作ることができる。上部本体１１と下部本体１２との間の接続は、平均的な大人のウエストラインに基づく境界線１３によるものである。上部本体１１の両側にはエプロン本体１の背後部に向かって延びる肩ストラップ１４がそれぞれ設けられている。２つの肩ストラップ１４は、エプロン本体１の背後部のストラップ１５にそれぞれ接続される。並びにエプロン本体１の上部両側にそれぞれ第１接合部１６がそれぞれ配置され、２つの第１接合部１６は、面ファスナーまたはボタンである。本考案の実施形態では、面ファスナーを例示として説明する。さらに、少なくとも１つのポケットエリア１７が下部本体１２に形成される。本考案の実施形態では、２つのポケットエリア１７の両側にそれぞれ第１固定部１８が設けられている。第１固定部１８は、面ファスナーまたはボタンであり、本実施形態では面ファスナーを例示している。
【００３３】
防水層２には、オープンサイド２１と固定サイド２２とが相対的に設けられている。オープンサイド２１は上部本体１１に移動可能に連結され、固定サイド２２は境界線１３に固定される。防水層２の形状は、上部本体１１の形状に合わせて切り取られる。防水層２は防水材で形成され、防水層２の２つの第１接合部１６に対応する位置に第２接合部２３がそれぞれ配置されている。２つの第２接合部２３は、２つの第１接合部１６と組み合わされた面ファスナー又はボタンである。また、防水層２の表面は表面層２４と組み合わせられ、表面層２４は下部本体１２と同じ材料で形成することができる。表面層２４は、一貫性と美観を有することができるように、下部本体１２と同じ色または同じ一連のパターンで配置することができる。
【００３４】
下部本体１２の２つのポケットエリア１７に固定されたポケット層３には、それぞれ開放型の開口部３１が形成されている。ポケット層３は、吸水性材料からなる。ポケット層３の第１固定部１８に対応する位置には、第２固定部３２がそれぞれ配置されている。第２固定部３２は、第１固定部１８に固定された面ファスナーまたはボタンである。
【００３５】
着用時には、図４及び図５に示すように、ユーザーＡにエプロン本体１が着用される。ユーザーＡの両手はエプロン本体１の２つの肩ストラップ１４をそれぞれ通過し、２つの肩ストラップ１４がユーザーＡの肩位置を通過する。２つのストラップ１５は、ユーザーＡのウエストの回りを通り、ユーザーＡの後ろに締結して固定される。このようにして、ユーザーＡに着用することができる。さらに、表面層２４および下部本体１２はすべて同じ材料で作られ、同じ色または同じ一連のパターンを有するので、着用後に一貫性を示し、視覚的美観を有することができ、更にエプロンの質感を付け加えることができる。
【００３６】
使用時には、図６に示すように、ユーザーＡが清掃、モッピング、調理または皿洗いを行うと、ユーザーはエプロン本体１を着用することができる。防水層２は、上部本体１１に移動可能に連結され、防水層２は防水材で構成されていることを利用して、上部本体１１を濡らさずに水分が上部本体１１に侵入するのを防止する防水効果を有する。作業の過程で、汚れは防水層２に付着して上部本体１１を汚さずにして清潔に保たれる。
【００３７】
図７及び図８に示すように、赤ちゃんＢを抱えておく必要がある場合には、ユーザーＡはまず両手を２つの開口部３１を介して２つのポケット層３に通すことができる。２つのポケット層３と２つのポケットエリア１７はすべて吸水性材料で作られているので、ユーザーＡの手の水を吸収して手を乾燥させ清潔に保つことができる。そして、防水層２の２つの第２接合部２３がエプロン本体１の２つの第１接合部１６から分離される。防水層２は、上部本体１１から取り外すことができ、下部本体１２の位置に垂れ下がることができる。このようにして、ユーザーＡは、乾燥した清潔な手で赤ちゃんＢを保持し、柔らかく清潔な上部本体１１に赤ちゃんＢを接触させることができる。上部本体１１は、綿布、ベルベット布またはぬいぐるみ製であるため、赤ちゃんＢは快適で衛生的になり、赤ちゃんＢは健康を保つことができる。赤ちゃんＢを抱えておく必要がなく、仕事を再開したいときは、エプロン本体１の２つの第１接合部１６には、防水層２の２つの第２接合部２３のみが再結合されているので、迅速かつ容易に再び掃除、モッピング、調理、または皿洗いなどを行うことができる。そして次回赤ちゃんを再び抱えても、上部本体１１はまだ乾燥して清潔である。
【００３８】
第１図に示すように、洗浄が必要な場合は、防水層２の２つの第２接合部２３とエプロン本体１の２つの第１接合部１６を分離すればよい。防水層２を上部本体１１から取り外すことができ、防水層２と上部本体１１を洗浄することができる。そして、ポケット層３の第２固定部３２をエプロン本体１の第１固定部１８から分離する。２つのポケット層３は、２つのポケットエリア１７から分離され、垂れ下がる。これにより、２つのポケット層３および２つのポケットエリア１７を洗浄することができ、エプロン本体１、防水層２および２つのポケット層３を迅速に洗浄することができる。それがきれいで衛生的であることを確保する。
【００３９】
本考案で提案された具体的な実施形態は、本考案の技術、内容を説明するためだけであって、本考案を狹義に上記の実施形態に限定するものではない。本考案の精神と実用新案登録の範囲を超えない状況で、行った種々の変化実施は、依然として本考案の範囲に属する。
【符号の説明】
【００４０】
１エプロン本体
１１上部本体
１２下部本体
１３境界線
１４肩ストラップ
１５ストラップ
１６第１接合部
１７ポケットエリア
１８第１固定部
２防水層
２１オープンサイド
２２固定サイド
２３第２接合部
２４表面層
３ポケット層
３１開口部
３２第２固定部
Ａユーザー
Ｂ赤ちゃん
【図１】
0003217400.tif 000003
【図２】
0003217400.tif 000004
【図３】
0003217400.tif 000005
【図４】
0003217400.tif 000006
【図５】
0003217400.tif 000007
【図６】
0003217400.tif 000008
【図７】
0003217400.tif 000009
【図８】
0003217400.tif 000010